(57)【要約】【課題】異物を除去する部材を確実に保護することができ、携帯性および操作性に優れた撮像素子用清掃器具を提供する。【解決手段】清掃器具１０の未使用時においては、保護カバー１６は、内壁面１６Ｉが第１の嵌合部１４Ｓ１に接するように支持部材１４に取付けられ、ローラ１２は保護カバー１６により密閉される。清掃器具１０がＬＰＦ表面３６の清掃に使用されるとき、保護カバー１６は図示された位置に取付けられる。ローラ表面１２Ｓが被清掃面であるＬＰＦ表面３６に接する状態で、矢印Ａの示すように清掃器具１０がＬＰＦ表面３６に沿って移動されると、ローラ１２はＬＰＦ表面３６上で回転され、ＬＰＦ表面３６上の異物を粘着させる。この操作においてユーザは、保護カバー１６の前面１６Ｆおよび背面１６Ｒを保持してローラ１２を回転させることができる。【選択図】図５
2007306382.tif 000002
【特許請求の範囲】
【請求項１】
撮像素子の被清掃面上にある異物を除去する撮像素子用清掃器具であって、
前記異物を粘着させるためのローラと、
前記ローラを前記被清掃面上で回転させるために回転自在に支持する支持部材と、
前記ローラを保護する保護カバーとを備え、
前記保護カバーが、前記ローラを密閉する第１の取付位置と、前記ローラを開放して前記異物の除去を可能にする第２の取付位置とにおいて前記支持部材に着脱自在に取付けられることを特徴とする撮像素子用清掃器具。
【請求項２】
前記保護カバーが、前記第１の取付位置と前記第２の取付位置とで互いに反対向きに取付けられることを特徴とする請求項１に記載の撮像素子用清掃器具。
【請求項３】
前記支持部材が、前記保護カバーの内面に接する接触領域と、前記保護カバーの端部を係止するために前記接触領域から突出した突出部とを含むことを特徴とする請求項１に記載の撮像素子用清掃器具。
【請求項４】
前記支持部材において、前記突出部を挟んで、前記ローラ側と前記支持部材の端部側とにそれぞれ前記接触領域が設けられていることにより、前記保護カバーが前記第１の取付位置と前記第２の取付位置とで取付け可能であることを特徴とする請求項３に記載の撮像素子用清掃器具。
【請求項５】
前記ローラを接触させて前記異物を前記ローラから取り除くための異物除去シートをさらに有することを特徴とする請求項１に記載の撮像素子用清掃器具。
【請求項６】
前記異物除去シートが前記保護カバーの表面に貼付されており、前記異物除去シートを保護するシート用保護カバーをさらに有することを特徴とする請求項５に記載の撮像素子用清掃器具。
【請求項７】
前記保護カバーにおいて、前記異物除去シートを収納するための収納部が設けられていることを特徴とする請求項５に記載の撮像素子用清掃器具。
【請求項８】
複数の前記異物除去シートが、剥離可能に重ねられていることを特徴とする請求項５に記載の撮像素子用清掃器具。
【請求項９】
前記保護カバーが、前記第１および第２の取付位置の間で移動可能とするための開閉部材をさらに有し、前記異物除去シートが、前記開閉部材の内面に貼付されていることを特徴とする請求項５に記載の撮像素子用清掃器具。
【請求項１０】
前記支持部材において係合溝が設けられており、前記保護カバーが前記係合溝に係合する係合部を含むことを特徴とする請求項１に記載の撮像素子用清掃器具。
【請求項１１】
前記係合部と前記係合溝とがいずれも一対ずつ設けられており、一対の前記係合部のそれぞれが、一対の前記係合溝のいずれにも係合可能であることにより、前記保護カバーが、前記第１の取付位置と前記第２の取付位置とで取付け可能であることを特徴とする請求項１０に記載の撮像素子用清掃器具。
【請求項１２】
前記保護カバーの内部形状が、少なくとも前記ローラを含む前記清掃器具の被密閉部の形状と実質的に等しいことを特徴とする請求項１に記載の撮像素子用清掃器具。
【発明の詳細な説明】
【技術分野】
【０００１】
本発明は、撮像素子用清掃器具に関し、特に、レンズ交換式デジタルカメラの撮像素子等に付着する異物を取り除く清掃器具に関する。
【背景技術】
【０００２】
近年、レンズ交換式のデジタルカメラが普及しつつある。レンズ交換式デジタルカメラにおいては、レンズ交換等により混入する埃などの異物が、内蔵された撮像素子の表面に付着する場合がある。そして、異物が撮像素子に付着することによる画質の低下を防ぐために、撮像素子表面から異物を取り除く装置が知られている。
【０００３】
このような装置のうち、粘着性のある平面状の部材を撮像素子の表面あるいは撮像素子の前に配置された赤外線カットフィルタや光学ローパスフィルタの表面等に全面的に接触させ、この平面部材に異物を付着させて撮像素子表面から除去するもの（例えば特許文献１〜３）、先端に粘着体を設けた細長い筒状の掃除具など（例えば特許文献４）が知られている。
【特許文献１】特開２００４−３２６０９５号公報（段落［００７１］〜［００８５］、図９〜１１等参照）
【特許文献２】特開２００５−２９２４０４号公報（段落［００３７］〜［００６４］、図４〜１２等参照）
【特許文献３】特開２００５−３１６３９１号公報（段落［００４２］〜［００７６］、図４〜１６等参照）
【特許文献４】特開２００３−２２００１４号公報（段落［００１８］〜［００２６］、図１〜６等参照）
【発明の開示】
【発明が解決しようとする課題】
【０００４】
撮像素子表面等から異物を除去するための粘着性部材の表面を露出させておくと、ユーザの指の接触、清掃の対象でない異物の付着等により粘着性の低下を招く。特に、粘着性部材を長期間に渡って使用しない場合等においては、十分な粘着性が保てなくなり、使用できなくなるおそれがある。また、付着したゴミが清掃面に転写され、清掃面を逆に汚してしまう恐れがある。そしてこのように、表面を保護すべき粘着性部材による清掃器具は、保管のみならず携帯も困難な場合がある。
【０００５】
さらに、主な清掃の対象であるレンズ交換式デジタルカメラの撮像素子はカメラの内部に設けられているため、反射ミラー等の存在により清掃のための操作が困難な場合がある。特に、粘着性の平面部材をカメラ内部の隙間から撮像素子表面等に全面的に接触させる操作は困難である。
【０００６】
本発明は、異物を除去する部材を確実に保護することができ、携帯性および操作性に優れた撮像素子用清掃器具を提供することを目的とする。
【課題を解決するための手段】
【０００７】
本発明の清掃器具は、撮像素子の被清掃面上にある異物を除去する撮像素子用の清掃器具であって、異物を粘着させるためのローラと、ローラを被清掃面上で回転させるために回転自在に支持する支持部材と、ローラを保護する保護カバーとを備え、保護カバーが、ローラを密閉する第１の取付位置と、ローラを開放して異物の除去を可能にする第２の取付位置とにおいて支持部材に着脱自在に取付けられることを特徴とする。
【０００８】
保護カバーは、第１の取付位置と第２の取付位置とで互いに反対向きに取付けられることが好ましい。また支持部材は、保護カバーの内面に接する接触領域と、保護カバーの端部を係止するために接触領域から突出した突出部とを含むことが好ましい。そしてこの場合、支持部材において、突出部を挟んで、ローラ側と支持部材の端部側とにそれぞれ接触領域が設けられていることにより、保護カバーが第１の取付位置と第２の取付位置とで取付け可能であることがより好ましい。
【０００９】
清掃器具は、ローラを接触させて異物をローラから取り除くための異物除去シートをさらに有することが望ましい。そしてこの場合、異物除去シートが保護カバーの表面に貼付されており、異物除去シートを保護するシート用保護カバーをさらに有することがより望ましい。
【００１０】
保護カバーにおいては、異物除去シートを収納するための収納部が設けられていることが望ましく、また、複数の異物除去シートが、剥離可能に重ねられていることが望ましい。保護カバーは、第１および第２の取付位置の間で移動可能とするための開閉部材をさらに有し、異物除去シートが、開閉部材の内面に貼付されていることが好ましい。
【００１１】
支持部材においては係合溝が設けられており、保護カバーが係合溝に係合する係合部を含むことが好ましい。係合部と係合溝とはいずれも一対ずつ設けられており、一対の係合部のそれぞれが、一対の係合溝にいずれにも係合可能であることにより、保護カバーが、第１の取付位置と第２の取付位置とで取付け可能であることが好ましい。
【００１２】
また、保護カバーの内部形状が、少なくともローラを含む清掃器具の被密閉部の形状と実質的に等しいことが望ましい。
【発明の効果】
【００１３】
本発明によれば、異物を除去する部材を確実に保護することができ、携帯性および操作性に優れた撮像素子用清掃器具を実現できる。
【発明を実施するための最良の形態】
【００１４】
以下、本発明の実施形態を、図面を参照して説明する。図１は、第１の実施形態における、ローラが収納された状態の清掃器具を示す正面図である。図２は、ローラが収納された状態の清掃器具を示す側面図である。図３は、ローラが開放された状態の清掃器具を示す正面図であり、図４は、ローラが開放された状態の清掃器具を示す側面図である。なお、図１〜４を含む各図面においては、説明の便宜上、外部から視認できない部材も破線で示されている。
【００１５】
清掃器具１０は、ＣＣＤ等の撮像素子、ローパスフィルタ、保護フィルタの受光面等（いずれも図示せず）に付着した埃などの異物を除去し、撮像素子等を清掃するために使用される。清掃器具１０は、ローラ１２と、ローラ１２を支持する支持部材１４と、ローラ１２を保護する保護カバー１６とを含む。
【００１６】
支持部材１４には、ローラ１２に嵌合された軸部材１８が設けられている。ローラ１２は、軸部材１８を介して支持部材１４により回転自在に支持されている。ローラ１２の表面は、粘着性を有するブチルゴムで形成されている。従って、ローラ１２が異物を含む被清掃面上で回転すると、異物はローラ１２の表面１２Ｓにより粘着され、被清掃面が清掃される。ローラ１２は、円柱から膨出した膨出部１２Ｅを含み、側面および断面形状が涙形である（図２、図４参照）。
【００１７】
保護カバー１６は、支持部材１４に着脱自在に取付けられる。すなわち保護カバー１６は、ローラ１２を密閉する第１の取付位置と、ローラ１２を開放して異物の除去を可能にする第２の取付位置とのいずれかに取付け可能である。図１および図２は、保護カバー１６が第１の取付位置に取付けられた状態を示し、図３および図４は、保護カバー１６が第２の取付位置にある状態を示す。
【００１８】
保護カバー１６を第１、第２の取付位置に取付けるために、支持部材１４には、第１および第２の嵌合部１４Ｓ１、１４Ｓ２（接触領域）が設けられている。第１および第２の嵌合部１４Ｓ１、１４Ｓ２の幅１４Ｗ１、１４Ｗ２、厚さ１４Ｄ１、１４Ｄ２はそれぞれ等しい。そして、第１、第２の嵌合部１４Ｓ１、１４Ｓ２の幅１４Ｗ１、１４Ｗ２、厚さ１４Ｄ１、１４Ｄ２は、保護カバー１６が支持部材１４に取付けられるとき、保護カバー１６の内壁面１６Ｉが第１、第２の嵌合部１４Ｓ１、１４Ｓ２により適度に押圧されるように、調整されている。
【００１９】
さらに支持部材１４は、これらの嵌合部１４Ｓ１、１４Ｓ２から突出した突出部１４Ｐを含む。すなわち、第１および第２の嵌合部１４Ｓ１、１４Ｓ２は、突出部１４Ｐを挟むように、第１の嵌合部１４Ｓ１は支持部材１４のローラ１２側に、第２の嵌合部１４Ｓ２は突出部１４Ｐよりもローラ１２から離れた支持部材１４の上端部側に、それぞれ設けられている。このため、保護カバー１６の端部１６Ｅが突出部１４Ｐに当接することにより、保護カバー１６は、所定の第１もしくは第２の取付位置に取付けられ、固定される。このように、突出部１４Ｐを挟んで２つの嵌合部１４Ｓ１、１４Ｓ２をいずれも支持部材１４の長手方向に沿って設けることにより、保護カバー１６は、第１の取付位置と第２の取付位置とで互いに反対方向を向くように支持部材１４に取付けられる。
【００２０】
清掃器具１０が使用されないときには、保護カバー１６を第１の取付位置に取付け、ローラ１２の表面を保護することができる。このとき、保護カバー１６により密閉されているローラ１２にユーザの指や異物等が接触することはなく、ローラ表面１２Ｓの粘着性が保たれる。
【００２１】
図５は、使用されている状態の清掃器具１０を示す側面図である。
【００２２】
清掃器具１０が、例えば撮像素子ユニット（撮像素子）５０に設けられたローパスフィルタ（以下、ＬＰＦという）３２の表面３６の清掃に使用される場合、保護カバー１６は第２の取付位置に取付けられる。このときローラ１２は、ローラ表面１２Ｓが露出するように開放される。そして、ローラ表面１２ＳがＬＰＦ表面３６に接する状態で、矢印Ａの示すように清掃器具１０がＬＰＦ表面３６に沿って移動されると、ローラ１２はＬＰＦ表面３６上で回転され、ＬＰＦ表面３６上の異物を粘着させる。
【００２３】
支持部材１４および保護カバー１６の形状、大きさは、回転操作に適するように調整されており、ユーザは、保護カバー１６の前面１６Ｆおよび背面１６Ｒを保持してローラ１２を回転させることができる。そして、保護カバー１６を支持部材１４に取付けた状態で清掃器具１０が使用できることから、ＬＰＦ３２の周辺に撮像素子ユニット５０以外の部材が設けられており、清掃における立体的な障害が大きい場合等においても、支持部材１４を直接保持して操作する場合に比べ清掃器具１０の操作は容易である。
【００２４】
なおローラ１２の外周長さは、矢印Ａの示すローラ１２の移動方向におけるＬＰＦ表面３６の長さよりもわずかに短い。このため、ローラ１２をＬＰＦ表面３６上において１回転させると、ＬＰＦ表面３６のほぼ全域の清掃を終えることができる。また、平面領域を有する膨出部１２Ｅが設けられたローラ１２は、清掃の開始時においてＬＰＦ表面３６の端部３６Ｅ付近に配置し易く、さらに円柱形のローラと異なり、膨出部１２ＥがＬＰＦ表面３６の端部３６Ｅ付近に確実に接することができることから、効率的な清掃が可能である。
【００２５】
以上のように本実施形態によれば、保護カバー１６によりローラ１２を密閉した状態で保護し、粘着性を有するローラ表面１２Ｓへの異物の付着を防止することができるとともに、清掃器具１０の携帯が容易となる。さらに、清掃器具１０の使用時には保護カバー１６を支持部材１４に取付けて保持部として活用することにより、効率的な操作が可能である。
【００２６】
以下、第２の実施形態につき、第１の実施形態との相違点を中心に説明する。図６は、本実施形態における、ローラ１２が収納された状態の清掃器具１０を示す正面図である。図７は、本実施形態における、ローラ１２が収納された状態の清掃器具１０を示す側面図である。図８は、本実施形態における、ローラ１２が開放された状態の清掃器具１０を示す側面図であり、図９は、ローラ表面１２Ｓから異物を除去する状態の清掃器具１０を示す側面図である。
【００２７】
本実施形態においては、清掃器具１０は、ローラ表面１２Ｓから異物を取り除き、ローラ表面１２Ｓの粘着性を維持するための転写シート（異物除去シート）２４を含む。転写シート２４は適度な粘着性を有しており、複数の転写シート２４がそれぞれ剥離可能に重ねられた状態で、保護カバー１６の背面１６Ｒ上に貼付されている（図７参照）。
【００２８】
保護カバー１６においては、転写シート２４を保護するためのシート用保護カバー２６が設けられている。シート用保護カバー２６は、矢印Ｂの示すように、ヒンジ機構（図示せず）により保護カバー背面１６Ｒに対して開閉自在である（図７〜９参照）。転写シート２４の未使用時には、シート用保護カバー２６は閉じられており、転写シート２４は収納部２０の内部に密閉されている（図７および図８参照）。
【００２９】
転写シート２４の使用時には、まず、保護カバー１６が支持部材１４から取外され、保護カバー１６の前面１６Ｆを下向きにした状態に置かれる（図９参照）。そしてシート用保護カバー２６が開かれ、ローラ表面１２Ｓが転写シート２４に接した状態で、矢印Ｃの示すように清掃器具１０が移動されると、ローラ１２は転写シート２４上で回転する。この結果、異物はローラ表面１２Ｓ上から転写シート２４上に移される。なお、転写シート２４の大きさは、ローラ１２を転写シート２４上で１回転できるように調整されている。
【００３０】
転写シート２４により、ローラ表面１２Ｓ上にある異物を転写シート２４上に移動させることにより、ローラ表面１２Ｓの粘着性は回復する。転写シート２４は、異物の付着により粘着性を失うと使用できなくなる。使用ができなくなった転写シート２４は、剥離、除去され、その下にある転写シート２４が新たに使用可能となる。
【００３１】
以上のように本実施形態によれば、転写シート２４は、常に保護カバー１６に接した状態にあるため、ローラ１２の粘着性を速やかに回復することができ、清掃器具１０の操作性は向上される。また、シート用保護カバー２６により、転写シート２４を密閉した状態で保護できるとともに、転写シート２４にユーザの指等が接触することが防止されるため、清掃器具１０の携帯は容易である。
【００３２】
以下、第３の実施形態につき、これまでの実施形態との相違点を中心に説明する。図１０は、本実施形態における、ローラ１２が収納された状態の清掃器具１０を示す正面図である。図１１は、図１０の矢印Ｄの示す方向から見た、ローラ１２が収納された状態の清掃器具１０を示す側面図である。図１２は、本実施形態における保護カバー１２を示す底面図である。
【００３３】
本実施形態では、保護カバー１６において、転写シート２４を収納するための収納部２０が設けられている。収納部２０は、保護カバー１６の前面１６Ｆから一方の側面１６Ｓ、背面１６Ｒにかけて設けられた内部空間である。そして保護カバー１６の底面を形成する底面部材１６Ｂは、収納部２０の蓋として機能する。
【００３４】
すなわち底面部材１６Ｂは、保護カバー前面１６Ｆの下部に設けられたヒンジ機構（図示せず）により、矢印Ｅの示すように開閉する。底面部材１６Ｂが開き、収納部２０が開放されると転写シート２４の収納部２０からの取出し、もしくは収納部２０への収納が可能となる。なお、図１２においては、説明の便宜上、底面部材１６Ｂを除いた状態の保護カバー１６が図示されており、転写シート２４は、図１２の紙面に対して垂直方向に取出し、もしくは収納される。
【００３５】
なお本実施形態において転写シート２４は、収納部２０から取出して使用する必要があることから、各転写シート２４の表面は、保護シート（図示せず）によって覆われている。保護シートにより、ユーザの指等が転写シートに接触することが防止される。そして転写シート２４の使用に先立って、保護シートが剥離、除去される。
【００３６】
以上のように本実施形態によれば、第２の実施形態と同様の効果が得られるとともに、保護カバー１６の壁面に沿って延びる収納部２０により、保護カバー１６に対して相対的に大きい転写シート２４を収納することができる。
【００３７】
以下、第４の実施形態につき、これまでの実施形態との相違点を中心に説明する。図１３は、本実施形態における、ローラ１２が収納された状態の清掃器具１０を示す正面図である。図１４は、支持部材１４に取付けられる保護カバー１６を示す図である。図１５は、保護カバー１６が第２の取付位置に取付けられた状態の清掃器具１０を示す側面図であり、図１６は、保護カバー１６が第１の取付位置に取付けられた状態の清掃器具１０を示す側面図である。
【００３８】
本実施形態では、以下のように、第１、第２の嵌合部１４Ｓ１、１４Ｓ２、突出部１４Ｐの代わりに、支持部材１４において係合溝１４Ｇが、保護カバー１６において係合部１６Ｐがそれぞれ一対ずつ設けられており、保護カバー１６が、摺動自在に支持部材１４に取付けられる点が、第１の実施形態とは異なる。
【００３９】
清掃器具１０を使用する場合、第１の実施形態と同様に、保護カバー１６を第１の取付位置から第２の取付位置に移動させ、密閉された状態にあるローラ１２を開放することが必要である。このためまず、保護カバー１６の側面を形成し、ヒンジ機構（図示せず）により開閉可能な開閉部材３０が矢印Ｆの示すように開かれる。そして保護カバー１６は、矢印Ｇの示す方向に、すなわち開口部１６Ｏから支持部材１４を取出すように摺動されて支持部材１４から取外される。
【００４０】
取外された保護カバー１６は、２通りの方法で支持部材１４に取付け可能である（図１４参照）。すなわち、ローラ１２と支持部材１４の本体部１４Ｂとが保護カバー１６の内部に含まれるように係合部１６Ｐを係合溝１４Ｇに係合、摺動させると、保護カバー１６は第１の取付位置に取付けられ、支持部材１４の端部１４Ｅ側を保護カバー１６の内部に含めるように係合部１６Ｐを係合溝１４Ｇに摺動させると、保護カバー１６は第２の取付位置に取付けられる。
【００４１】
このように本実施形態では、一対の係合部１６Ｐが、それぞれ一対の係合溝１４Ｇのいずれにも係合可能であるため、保護カバー１６を支持部材１４に対して係合溝１４Ｇを中心に１８０°回転させた状態で取付けられる。すなわちまず、先述のように清掃器具１０を使用する場合においては、保護カバー１６は第２の取付位置に取付けられる（図１５参照）。そして清掃器具１０の使用が終了すると、保護カバー１６は支持部材１４から取外され、さらに係合溝１４Ｇに対して第２の取付位置への取付け時とは上下方向を反転された状態で係合部１６Ｐが係合溝１４Ｇに係合され、保護カバー１６は第１の位置に取付けられる（図１６参照）。
【００４２】
このように、第１の実施形態とは異なり、第１、第２の嵌合部１４Ｓ１、１４Ｓ２および突出部１４Ｐを設けることなしに保護カバー１６を選択的に支持部材１４に取付けることができる。このため図１６に示すように、保護カバー１６の内部形状を、保護カバー１６によって密閉されるローラ１２および支持部材１４の本体部１４Ｂの形状と実質的に等しくすること、すなわち、保護カバー内壁面１６Ｉと収納されたローラ１２の表面１２Ｓおよび支持部材１４の表面との間の隙間を大幅に縮小することが可能であり、清掃器具１０の小型化が可能である。
【００４３】
さらに、開閉部材３０の内壁面３０Ｉ（図１４参照）に転写シート２４を貼付することにより、ローラ表面１２Ｓから異物を除去する操作が容易になるとともに、使用が必要とされるときにのみ転写シート２４を露出させることができる。この場合、開閉部材３０を保護カバー前面１６Ｆ、もしくは保護カバー背面１６Ｒに設けることにより、より大きな転写シート２４を採用でき、転写シート２４上でのローラ１２の回転操作をさらに容易にすることができる。
【００４４】
以上のように本実施形態によれば、清掃器具１０の小型化と操作性の向上が可能である。なお本実施形態のように、壁面の厚さが薄い保護カバー１６側に係合部１６Ｐを設け、肉厚の支持部材１４側にて係合溝１４Ｇを設けることが好ましいものの、保護カバー１６に係合溝を設け、支持部材１４側に係合部を設けても良い。
【００４５】
いずれの実施形態においても、清掃器具１０の形状、材質等はいずれの実施形態にも限定されない。例えば、ローラ表面１２Ｓは、ブチルゴムの他、粘着性を有するウレタン系樹脂、チレンゴム系樹脂等で形成されても良い。また、清掃器具１０の使用時にユーザが保持する保護カバー１６においては、前面１６Ｆ、背面１６Ｒ等に凹凸を設けてすべり止めとしても良い。また、転写シート２４は支持部材１４側に収納しても良い。
【図面の簡単な説明】
【００４６】
【図１】第１の実施形態におけるローラが収納された状態の清掃器具を示す正面図である。
【図２】第１の実施形態におけるローラが収納された状態の清掃器具を示す側面図である。
【図３】第１の実施形態におけるローラが開放された状態の清掃器具を示す正面図である。
【図４】第１の実施形態におけるローラが開放された状態の清掃器具を示す側面図である。
【図５】第１の実施形態における使用されている状態の清掃器具を示す側面図である。
【図６】第２の実施形態におけるローラが収納された状態の清掃器具を示す正面図である。
【図７】第２の実施形態におけるローラが収納された状態の清掃器具を示す側面図である。
【図８】第２の実施形態におけるローラが開放された状態の清掃器具を示す側面図である。
【図９】第２の実施形態におけるローラ表面から異物を除去する状態の清掃器具を示す側面図である。
【図１０】第３の実施形態におけるローラが収納された状態の清掃器具を示す正面図である。
【図１１】図１０の矢印の示す方向から見た、ローラが収納された状態の清掃器具を示す側面図である。
【図１２】第３の実施形態における保護カバーを示す底面図である。
【図１３】第４の実施形態におけるローラが収納された状態の清掃器具を示す正面図である。
【図１４】第４の実施形態における、支持部材に取付けられる保護カバーを示す図である。
【図１５】第４の実施形態における、保護カバーが第２の取付位置に取付けられた状態の清掃器具を示す側面図である。
【図１６】第４の実施形態における、保護カバーが第１の取付位置に取付けられた状態の清掃器具を示す側面図である。
【符号の説明】
【００４７】
１０  清掃器具（撮像素子用清掃器具）
１２  ローラ
１４  支持部材
１４Ｇ  係合溝
１４Ｐ  突出部
１４Ｓ１  第１の嵌合部（接触領域）
１４Ｓ２  第２の嵌合部（接触領域）
１６  保護カバー
１６Ｐ  係合部  
２０  収納部
２４  転写シート（異物除去シート）
２６  シート用保護カバー
３０  開閉部材
３６  ＬＰＦ表面（被清掃面）
５０  撮像素子ユニット（撮像素子）
【図１】
2007306382.tif 000003
【図２】
2007306382.tif 000004
【図３】
2007306382.tif 000005
【図４】
2007306382.tif 000006
【図５】
2007306382.tif 000007
【図６】
2007306382.tif 000008
【図７】
2007306382.tif 000009
【図８】
2007306382.tif 000010
【図９】
2007306382.tif 000011
【図１０】
2007306382.tif 000012
【図１１】
2007306382.tif 000013
【図１２】
2007306382.tif 000014
【図１３】
2007306382.tif 000015
【図１４】
2007306382.tif 000016
【図１５】
2007306382.tif 000017
【図１６】
2007306382.tif 000018